Podtech/llm-jp-corpus-v4-ja_patent huggingface dataset:
(57)【要約】      （修正有）【課題】一般の家庭だけでなく各種産業施設において、ろ過網が適用された排水関連施設の維持管理を容易にし、また排水能力を向上させる、排水フィルターセットの提供。【解決手段】管水路に連結された排水口にろ過網を適用する場合において、空気の流通が可能な空気通路を設けた排水フィルターを使用することにより、排水管路の内部では空気通路を通じて流通する流体と空気の影響により、連続的に流体の流れ特性が変わることになり、管路内の流速が増加してろ過網に付着していた浮遊物の残滓を洗い落とすことによって、ろ過網の効率を向上させるだけでなく排水能力も増大させる構造とする。【選択図】図１
2020110789.tif 000002
【特許請求の範囲】
【請求項１】
空気または流体が通過できる孔がある、排水フィルターセット。
【請求項２】
入口にろ過網を適用できる空気通路を上方と下方にかけて設置した、請求項１に記載の排水フィルターセット。
【請求項３】
入口にろ過網を適用できる空気通路を上方に設置した、請求項１に記載の排水フィルターセット。
【請求項４】
空気通路をろ過網の下に付けて下方に設置した、排水フィルターセット。
【発明の詳細な説明】
【技術分野】
【０００１】
本発明は一般の家庭や産業分野で排水施設にろ過網を使う場合、ろ過網の効率および排水能力を向上させるためのものである。
【背景技術】
【０００２】
水が一杯となっている洗面器での排水過程を詳察すると、最初は水面がゆっくりと下がって行き、暫くすると水が渦巻きながら排水口の入口に空気の柱が作られて急に排水されることを観察することができる。
【０００３】
一般的に給水管路での流体の流れは、主に圧力の差によって流れが発生する流れであるが、排水管路での流れは管水路内に多量の空気が含まれ、この流れは空気が含まれた複合の流れである。
【発明の概要】
【発明が解決しようとする課題】
【０００４】
排水流入口にろ過網を使う場合、浮遊物およびその他の不純物がろ過されるにつれてろ過網が詰まって正常な流れを妨害するため、ろ過網の効率が減少するだけでなく排水効率も減少することになる。
【課題を解決するための手段】
【０００５】
排水流入口のろ過網に空気通路を適用すれば、排水管の内部では空気通路を通じて流通する空気および流体の影響により、連続的に流体の流れ特性（ｆｌｏｗ  ｃｈａｒａｃｔｅｒｉｓｔｉｃｓ）が変わることになる。
【０００６】
特に、流れ特性のうち、管路内の流速が増加してろ過網に付着していた浮遊物の残滓を洗い落とすことによって、ろ過網の効率を向上させるだけでなく排水能力も増大させる。
【発明の効果】
【０００７】
本発明は、一般の家庭だけでなく各種産業施設において、ろ過網が適用された排水関連施設の維持管理を容易にし、また排水能力を向上させる。
【図面の簡単な説明】
【０００８】
【図１】空気流通排水フィルターの一般図である。
【図２】空気流通排水フィルターの装着例である。
【図３】空気流通孔がある空気流通排水フィルターである。
【図４】上方と下方に空気通路がある空気流通排水フィルターである。
【図５】上方に空気通路がある空気流通排水フィルターである。
【図６】下方に空気通路がある空気流通排水フィルターである。
【発明を実施するための形態】
【実施例１】
【０００９】
図３のように、排水フィルターセットに空気流通孔を設置することによって、この孔に空気だけでなく流体も通過することができ、排水能力を向上させる。
【実施例２】
【００１０】
図４のように、排水フィルターセットの空気通路を上方および下方に突出させる。上方の空気通路は流体の流入を制限することができ、空気通路の入口にろ過網を設置することができる。この場合、排水フィルターセットを通過した流体の流れは空気通路に対する干渉を最小化する。
【実施例３】
【００１１】
図５のように、排水フィルターセットの空気通路を上方に突出させる。この場合、空気通路は流体の流入を制限することができ、必要に応じて空気通路の入口にろ過網を設置することができる。
【実施例４】
【００１２】
図６のように、排水フィルターセットの空気通路をろ過網の真下に付けて下に突出させる。ここで、フィルターセットを通過した流体の流れは空気通路の内部の空気や流体の流れに対する干渉を低減させる。
【符号の説明】
【００１３】
空気流通排水フィルター：空気の流通が可能な排水フィルターセット
空気流通孔：空気または流体の通過が可能なろ過網の孔
空気通路：流体が通過できる排水フィルターセットの空気流通管
ろ過網：流体の異物をろ過するフィルター
繋ぎ輪：排水フィルターセットと排水流入口の連結輪
排水流入口：排水フィルターが設置される排水口の入口
【図１】
2020110789.tif 000003
【図２】
2020110789.tif 000004
【図３】
2020110789.tif 000005
【図４】
2020110789.tif 000006
【図５】
2020110789.tif 000007
【図６】
2020110789.tif 000008
(57)【要約】      （修正有）【課題】マイクロ流体装置に組み込まれたフィルタにおいて、粒子が詰まってしまうことを防ぐ、再構成可能なフィルタの提供。【解決手段】流路上に接合したバルブ層２に可変の力を加えることで再構成することが可能なフィルタ。バルブ層は、例えば熱可塑性フィルム、エラストマーなどの軟質材料で形成することができる。【選択図】図１Ａ
2020110792.tif 000002
【特許請求の範囲】
【請求項１】
流路上に接合したバルブ層に可変の力を加えることで再構成することが可能なフィルタ。
【発明の詳細な説明】
【技術分野】
【０００１】
本発明は、フィルタに関する。
【背景技術】
【０００２】
通常、マイクロ流体装置において、粒子を大きさに基づいてろ過するには、薄膜フィルタを組み込む必要がある。
【発明の概要】
【発明が解決しようとする課題】
【０００３】
しかしながら、マイクロ流体装置に組み込まれたフィルタはもはや除去することができないため、粒子がマイクロ流体装置内で詰まってしまうことがある。
【課題を解決するための手段】
【０００４】
本発明に係るフィルタの一態様は、流路上に接合したバルブ層に可変の力を加えることで再構成することが可能なフィルタである。
【図面の簡単な説明】
【０００５】
【図１Ａ】流路およびバルブ層から形成されたフィルタの一例の分解図を示す。
【図１Ｂ】図１Ａのフィルタの一例の外観図を示す。
【図１Ｃ】図１Ａのフィルタの一例の断面図を示す。
【図２Ａ】流路およびバルブ層から形成されたフィルタの他の例の分解図を示す。
【図２Ｂ】図２Ａのフィルタの一例の外観図を示す。
【図２Ｃ】図２Ａのフィルタの一例の断面図を示す。
【発明を実施するための形態】
【０００６】
本明細書における図１Ａ〜１Ｃおよび図２Ａ〜２Ｃの実施形態は、変更可能な流路を生成するバルブ層を備えるフィルタに関する。
【０００７】
流路およびバルブ層の形状を工夫することで、フィルタ機能を発揮することができる。バルブを開閉することで、フィルタ機能のオン／オフを切り替えることができる。
【０００８】
一例として、流路の断面形状をＷ字状とすることができる。これにより、バルブの開口部の大きさを小さくするような力を加えることで、開いたときには通過しうる比較的大きな粒子を捕捉することができる。流路は完全に閉じるわけではないため、液体や小さな粒子は流路を流れ続けることができる。捕捉する粒子の大きさは、流路の中心の高さを調節することで制御してもよい。バルブに加える力を除くと、開口部が大きくなり、より大きな粒子がバルブを流れる。
【０００９】
例えば図１Ａに示すように、層１に流路を形成してよく、バルブ層２を層１の上に配置してよい。層２は、例えば熱可塑性フィルム、エラストマーなどの軟質材料で形成することができる。図１Ｂは、公知の接合材料を使用して接合した層１および層２を示す。図１Ｃは接合した層の断面図を示す。図１Ｃは、層２に力が加わると層１の流路を通じたフィルタ効果が変更可能であることを示す。
【００１０】
図２Ａに示すように、層４は、互いに接続する入口および出口を備えた流路形状を有していてもよい。層５は装置を接合するために利用することができ、バルブとして機能する。層５は、例えば熱可塑性エラストマー、ＰＤＭＳ、液体シリコーンゴムなどの軟質材料で形成することができる。層６は、終端ともなりうる入口を備えた流路形状を有することができる。図２Ｂは、流体入口および流体出口と共に空気圧入口を備える、互いに接合した層４、５、６を示す。図２Ｃは接合した層の断面図を示す。図２Ｃは、空気圧の導入によってバルブの作動が実行可能であることを示す。
【図１Ａ】
2020110792.tif 000003
【図１Ｂ】
2020110792.tif 000004
【図１Ｃ】
2020110792.tif 000005
【図２Ａ】
2020110792.tif 000006
【図２Ｂ】
2020110792.tif 000007
【図２Ｃ】
2020110792.tif 000008
(57)【要約】【課題】従来の洗浄具は、棒の先にたわしの付いたものである。蓋を閉めて内部を水で洗うことができないため、十分な洗浄効果が得られ難いという問題点があった。本発明は、このような欠点を解消することを目的とする。【解決手段】本開示による容器洗浄具５は、球状体１と、繊維シート２と、糸状体３と、を備えている。球状体１は、水に浮かないものである。繊維シート２は、球状体１を、巻いて包んでいる網状のシートである。糸状体３は、繊維シート２の、球状体１を包んだ部分から互いに反対側に延びる部分の根元の部位を絞っている。これにより、細かな凹凸のある容器内壁面をもきれいに洗浄できる。【選択図】  図１
2020110776.tif 000002
【特許請求の範囲】
【請求項１】
水に浮かない球状体と、前記球状体を、巻いて包んでいる網状の繊維シートと、前記繊維シートの、前記球状体を包んだ部分から互いに反対側に延びる部分の根元の部位を絞る糸状体と、を備える容器洗浄具。
【請求項２】
前記繊維シートが化学繊維である請求項１記載の容器洗浄具。
【発明の詳細な説明】
【技術分野】
【０００１】
本発明はペットボトルの内部洗浄に用いる容器洗浄具である。
【背景技術】
【０００２】
この種の容器洗浄具として、複数個の球体に各々吊紐を取付け、各吊紐の一端を相互に結束することにより構成した筒状容器洗浄具がある（特許文献１参照）。
【先行技術文献】
【特許文献】
【０００３】
【特許文献１】実用新案登録第２５９６５６０号  公報
【発明の概要】
【発明が解決しようとする課題】
【０００４】
しかし、特許文献１に記載される洗浄具は、棒の先にたわしの付いたものである。蓋を閉めて内部を水で洗うことができないため、十分な洗浄効果が得られ難いという問題点があった。本発明は、このような欠点を解消することを目的とする。
【課題を解決するための手段】
【０００５】
本発明に係る容器洗浄具は、球状体と、繊維シートと、糸状体と、を備えている。球状体は、水に浮かないものである。繊維シートは、前記球状体を、巻いて包んでいる網状のシートである。糸状体は、前記繊維シートの、前記球状体を包んだ部分から互いに反対側に延びる部分の根元の部位を絞っている。
【発明の効果】
【０００６】
本発明の構成によれば、細かな凹凸のある容器内壁面をもきれいに洗浄することができる。
【図面の簡単な説明】
【０００７】
【図１】本発明の実施の形態に係る容器洗浄具の全体外観図である。
【図２】図１の容器洗浄具の製造工程図である。
【図３】図１の容器洗浄具の使用の形態を例示する外観図である。
【図４】図１の容器洗浄具の試作品の写真である。
【発明を実施するための形態】
【０００８】
以下、本発明の実施の形態について図を用いて詳細に説明する。
図１の全体外観図において、５は容器洗浄具であり、１は容器洗浄具５の球状体であり、２は球状体１を両端部が平らになるように覆った網状の繊維シートであり、３は繊維シート２の平らな両端部と球状体１の境目を絞る糸状体である。
【０００９】
図２の製造工程図に示すように、球状体１を繊維シート２の中央部に置き、その後、球状体１を包み込むように、繊維シート２を丸め上げる。その後に、繊維シートの球状体１を包んだ部分から互いに反対側に延びる部分の根元の部位を、糸状体３によって絞る。糸状体３は、一例として、繊維シート２に縫い付けられる。このようにして作られる容器洗浄具５は、あたかも、包装紙に包まれたあめ玉の形態を成す。
【００１０】
球状体１は、水に浮かないものであり、例えば、セラミック又はガラス玉又は銅等で構成され、繊維シート２は、例えばナイロン、ポリエステル等で構成され、一例としてキッチンで使用する、スポンジを包むスポンジフィルムを使用可能である。糸状体３は、例えばナイロン糸である。
【００１１】
上記のように構成される容器洗浄具５は、図３に例示するように、洗浄対象とするペットボトルなどの容器４に投入して、使用に供される。使用するには、幾つかの容器洗浄具５と、適量の水とを、容器４に入れ、蓋を閉めて振る。球状体１は水よりも重いので、容器洗浄具５が水に浮くことを防ぐ。水の量を満水にせず、適量に抑えることにより、容器４を振ったときに、水が容器４内で激しく振り動かされ、それに伴い、容器洗浄具５も、水と一緒に容器４内を舞うことになる。それにより、繊維シート２の中央から両側に延びる羽根状の部分により、容器４の内壁面の汚れが、きれいに除去される。羽根状の繊維シート２は、柔軟であるので、どんな形状の容器４の内壁面、例えば内部が細かなくぼみになっている内壁面であっても、洗浄することができる。
【００１２】
図４の写真に示すように、本願発明者は、容器洗浄具５を試作し、ペットボトル等の様々な容器４に試用した。球状体１には、ガラス玉を用い、繊維シート２には、スポンジフィルムを試用し、糸状体３には家庭用絹糸を使用した。ドレッシング容器のように汚れの激しい容器４でも、洗剤無しで、かつ短時間で、容器４が再利用できるまでに、洗浄することができた。このように、容器洗浄具５は、ペットボトル等の容器４の再利用に役立つことが、試作及び試用により確認できた。
【符号の説明】
【００１３】
１  球状体
２  繊維シート
３  縫製部
４  容器
５  容器洗浄具
【図１】
2020110776.tif 000003
【図２】
2020110776.tif 000004
【図３】
2020110776.tif 000005
【図４】
2020110776.tif 000006
(57)【要約】      （修正有）【課題】底の道具が取り出し安い工具袋を提供する。【解決手段】帆布に弾性棒を縫込み、中底の下にハの字に広がるように固定した落下防止スロープで落下物を中底の下に収納し、中底を作業スペースや、工具置きとして体の前方に密着させて使用する。作業終了すれば弾性棒の弾力に逆らって広がったハの字を中底の上部に布と共に固定すると小さく収納されてそのままの状態で作業工具が中底に残し、移動し同じ作業を繰り返す事が出来る【選択図】図１
2020110908.tif 000002
【特許請求の範囲】
【請求項１】
やわらかい帆布製バッグの中の、弾力のある棒の芯を、固い中底の下から斜め前方上に張り出すように固定して、外袋を広げると落下物収納スロープになり、中底は作業テーブル、と工具置きスペースになり、作業者の胸にベルトで保持する。架線などに、フックでぶらさげてもよい。作業が済めば、張り出したスロープの上端を、弾力に逆らって固い中底の上部に固定して収納する。
【発明の詳細な説明】
【技術分野】
【０００１】  本発明は、移動する時邪魔にならない工具袋に収納されている携帯作業台です。
【背景技術】
【０００２】。
はしごに乗って作業したり、屋根の上で作業する高所作業者は、足場が不安定なので、はしごや安全ロープ持たなければならない、なので両手が使えない。作業道具を落としたら下まで探しにいかなければならない。【０００３】  しかし、工具だけでなく金具や、光ファイバー融着器など精密機器を使う作業スペースも必要で、そのすべてをもって移動して不安定な場所で、精密作業をしなければならない必要があった。【０００４】  一般的に工具箱は鉄で出来ており蓋に取手がついているので蓋を固定せずに取手をつかみ持ち上げると中身をぶちまける問題があった。【０００５】  この改善策として、工具箱を丈夫な帆布にした工具袋はありますが中身をたくさん入れるには袋が大きくなって底が深くなる。したがって底の工具を取り出すには姿勢を大きく傾かせなければならない欠点があった。
【発明の開示】
【発明が解決しようとする課題】
【０００６】  解決しようとする問題点は、精密な作業を不安定場所へ運搬移動し姿勢を変えずに、速やかに作業を終了させる点である。しかも作業中に部品を落としても袋が広がっているので袋の底に回収される。
【課題を解決するための手段】
【０００７】  本発明は、丈夫で軽く柔らかい帆布で出来た袋の中に弾性棒の芯があり、体密着ベルトの付いた硬い中底の下から斜め前方に固定している。作業する時は弾性棒を開放すれば袋が斜め前方上面に広がる。
【発明の効果】
【０００８】  本発明のバッグ工具袋兼作業テーブルは中底が水平を、保ったままの形で底に残っているので一日何度も同じ作業を繰り返す作業には現場に着けば同じ作業を、繰り返す事が早い利点がある。しかも移動中に体や周りの物に当ってもやわらかい。
【発明を実施するための最良の形態】
【０００９】  丈夫で柔らかい布で作った袋の底の内容物が重心を下げているので、中底を金属で作り端に長さ調節出来るベルトをつなぎ、中底が作業しやすい水平を保ち、胸の高さに調節できる、体密着作業テーブルとして使用出来る。両側面の弾性芯を広げると袋が大きくハの字に斜め前方上向きに開くので姿勢を変えずに中底の下の物を取り出せるし中底から袋底へ収納する事も出来るし、そのまんま移動出来る。
【実施例１】
【００１０】  図１は、本発明の実施例の落下防止スロープ付き作業テーブル兼中底であって、１〜３は、図２と同様である。また、４は中底下のスペースからハの字に広がる弾性芯の固定するためのパイプが設置している。【００１１】  ５は中底の固定枠上部から下部分につなげたベルトで、肩を入れて体に密着して使用します。ぶら下げられるところが有ればフックに掛けてもよい【００１２】  本考案の工具箱の、中底下のスペースは落下防止スロープで集まった物や、道具入れだけでなく水平を保てる為の重心を下げる効果と弾性芯をハの字に広げる為の必要性が有ります。【００１３】  図３は、本考案の中底を作業テーブルとして使用する時、体に付けて作業する状態をあらわす。
【産業上の利用可能性】
【００１４】  本考案は、電気工事や電話工事のような梯子の途中作業など。屋根の上の壁に移動して作業する用途だけでなく通常の壁掛け工具箱にも適用できる。
【図面の簡単な説明】
【００１５】
【図１】細い線で表した布の袋に、固い中底の下から弾性芯がハの字状の布スロープを広げている
【図２】中底兼作業台と落下防止スロープを広げた状態の上から見た図です。
【図３】作業者が体に装着して作業するときの図です。
【図４】作業終了後落下防止スロープの上端を弾力に逆らって中底固定枠上部に固定して移動する。Åは通常外袋があるので中が見えない図であり。Ｂは袋を透視して中底が見えている図です。
【実施例２】
【符号の説明】
【００１６】１  芯の弾力のある棒
２  金属で出来た中底兼作業テーブル
３  布製の外袋
４  中底の下の弾性芯の固定スペース
５  肩かけ用のベルト
６  フック
【図１】
2020110908.tif 000003
【図２】
2020110908.tif 000004
【図３】
2020110908.tif 000005
【図４】
2020110908.tif 000006
(57)【要約】      （修正有）【課題】封止フィルムへの突き刺しが容易な紙製ストローを提供する。【解決手段】本発明による紙製ストローは、一端を長手方向に対して斜めに切断することにより製造される。一端に尖形部を有することにより、チルドカップの封止フィルムに突き刺す際などに、力が尖形部に集中するため、小さな力で容易に突き刺すことができる。【選択図】図１
2020092986.tif 000002
【特許請求の範囲】
【請求項１】
筒体として成形後、一端を長手方向に対して斜めに切断することにより製造された、紙製ストロー。
【発明の詳細な説明】
【技術分野】
【０００１】
本発明は、尖形部を有する紙製ストローに関する。
【従来の技術】
【０００２】
一般に流通しているストローの多くは、プラスチック製である。プラスチック製のストローは、環境問題の原因になるとして、削減への取り組みが進められている。その代替として、紙を素材に用いて製造されたストローが注目されている。
【０００３】
特許文献１には、型紙の端部から２つの三角片を除去し、型紙を丸めて接着することで一体成形したペーパーストローが開示されている。この考案によるストローは、尖った形状の先端部を有する。
【先行技術文献】
【特許文献】
【０００４】
【特許文献１】実用新案登録第３２１９１９９号公報
【発明の概要】
【発明が解決しようとする課題】
【０００５】
プラスチックを素材に用いた様々な製品が、身の回りにおいて日々大量に使用され、これらは最終的に廃棄物となる。こうしたプラスチック性廃棄物は分別回収され、リサイクルや焼却処分に供されるのが通常のプロセスである。しかし、適性に処分されなかったものが海洋に流出するなど、海洋汚染や生態系へ与える悪影響に代表される環境問題の原因となっている。
【０００６】
こうした状況を鑑みて、環境への配慮として、プラスチック製品の使用削減への圧力が社会的に高まっている。諸外国において、複数の世界的な飲食チェーンが、プラスチック製のストローを廃止することを表明している。また、日本国内においても同様に、プラスチック製ストローの提供を廃止した飲食店や、将来的に廃止することの検討を始めた企業が存在する。
【０００７】
飲食店において飲料を販売する際に、ストローを添えて提供することが多い。持ち帰りなど移動を前提とした提供の場合、容器には蓋が必要であるが、ストローがあれば容器から蓋を外さずに飲むことができる。また、ストローを介して飲むことにより、口紅などの化粧が崩れるのを防止することができる。さらに近年では、見栄えの良い写真をＳＮＳに投稿することが日常の楽しみとして定着している。飲料の写真において、ストローが構図やバランスに与える影響は軽視できるものではない。このように、ストローは無用のものではなく、プラスチック製のストローを使用しないのであれば、それを補うための仕組みや代替品が求められる。紙製のストローは、従来のプラスチック製のストローに代替するものとして注目されている。
【０００８】
ところで、市販されている飲料製品には、チルドカップと呼ばれる、上面全体が開放されたプラスチックの容器に、飲料を注入した後にフィルムで封止した製品がある。この封止フィルムとしては、プラスチックフィルムや、アルミニウムを含んだラミネートフィルムなどが使用されている。封止フィルムには剥がすためのつまみを設けていないことが多く、このような場合、封止フィルムにストローを突き刺して飲用される。
【０００９】
チルドカップの封止フィルムは運搬時や保管時に破損しない強度のものが用いられており、ストローを突き刺すには相応の力を加える必要がある。プラスチック製のストローの場合、力が集中して容易に突き刺すことができるように、先端が尖ったものが多く流通している。しかし、紙製ストローの場合、現時点では使用自体が少なく、先端が尖ったものが使用されることはさらに稀である。
【００１０】
特許文献１には、型紙の端部から２つの三角片を除去し、型紙を丸めて接着することで一体成形したペーパーストローが開示されている。この考案によるストローは、先端部が尖った形状を有する。しかしながら、この考案が開示している方法では、筒体を成形する前の型紙の段階で、この考案専用の形状にしなければならない。また、１枚の紙を丸めて筒体を形成する製造方法であるため、基材をずらしながら巻き付けて接着するような製造方法とは、大きく異なる。そのため、他の製品の原料や製造装置を転用することは困難な場合がある。したがって、在庫調整の容易性や製造コスト削減の観点において、改善の余地がある。
【００１１】
以上のように、現在流通しているストローの多くはプラスチック製であり、削減が進められている。そのため、環境に与える負荷が少ない原料を用いたストローを提供する必要がある。また、飲料の中にはチルドカップの形態で提供されるものがあり、こうした製品には封止フィルムへの突き刺しが容易なストローが不可欠である。本発明は、環境保全において有用な紙製ストローと、封止フィルムへの突き刺しが容易なストローを両立することを目的とする。
【課題を解決するための手段】
【００１２】
上記課題を解決するため、一端に尖形部を有する紙製ストローを提供する。本発明による紙製ストローは、筒体として成形後、一端を長手方向に対して斜めに切断することにより製造される。
【発明の効果】
【００１３】
本発明は、プラスチックより環境に与える影響が少ない紙を原料に用いて、尖形部を有する紙製ストローを提供する。本発明の紙製ストローは、一端が斜めに切断されていることにより、封止フィルムへの突き刺しを容易にする尖形部を有する。これにより、チルドカップの封止フィルムに突き刺す際などに、力が尖形部に集中するため、小さな力で容易に突き刺すことができる。
【図面の簡単な説明】
【００１４】
【図１】本発明の紙製ストローを示す斜視図である。
【発明を実施するための形態】
【００１５】
以下、添付図面を参照しながら、本発明による尖形部を有する紙製ストローを、詳細に説明する。
【００１６】
本発明の紙製ストローを構成する筒体は、任意の製造方法によって製造することができる。例えば、紙製の基材を芯棒に巻き付けながら接着することにより、製造することができる。ストローの長さ、厚さ、強度などは任意のものでよいが、突き刺した際に尖形部が変形しないように、十分な厚さを持たせるか、強度の高い素材を使用することが望ましい。
【００１７】
本発明の紙製ストローの斜視図を、図１に示す。本発明の紙製ストローは、一端を長手方向に対して、斜めに切断することにより製造される。斜めに切断する工程は、筒体を製品としての長さに切断した後に行ってもよい。あるいは、長い筒体を製造後、所定の長さに切り分ける際に、斜めに切断することで切り分けてもよい。
【００１８】
なお、本発明は上記の実施形態に限定されるものではなく、本発明の趣旨に基づいて種々変形させることが可能であり、それらを本発明の範囲から排除するものではない。
【図１】
2020092986.tif 000003
(57)【要約】【目的】壁に傷つけないで、簡単に壁に着けられるテレビ。【構成】（図１）テレビ画面（１）の下の部分に垂直の部材（２）（９）と水平の部材（３）を設け垂直の部材（２）から出たケーブル（８）でチューナー（７）と接続する。（図２）テレビ画面の水平部材（３）をテレビ台（４）の背面上部に載せ、壁（６）とテレビ台（４）で垂直の部材（２）を挟みテレビ画面の背面を壁（６）に着ける。  テレビ台（４）の中にチューナー（７）を入れる。  以上のように構成された、壁に着けるテレビ。【選択図】図２
2020092396.tif 000002
【特許請求の範囲】
【請求項１】
（図１）テレビ画面（１）の下の部分に垂直の部材（２）（９）と水平の部材（３）を設け，垂直の部材（２）から出たケーブル（８）でチューナー（７）と接続する。
（図２）テレビ画面の水平部材（３）をテレビ台（４）の背面上部に載せ、壁（６）とテレビ台（４）で垂直の部材（２）を挟みテレビ画面の背面を壁（６）に着ける。
以上のように構成された、壁に着けるテレビ。
【発明の詳細な説明】
【産業上の利用分野】
【０００１】本発明は、壁に着けるチューナー分離型テレビに関する。
【背景技術】
【０００２】従来のテレビは、画面の背面にチューナーを設けていた。
壁にネジ等を使って取り付けていた。
【発明が解決しようとする課題】
【０００３】テレビの画面を壁に着けたい、壁に傷を付けたくない。
【問題を解決するための手段】
【０００４】（図１）テレビ画面（１）の下の部分に垂直の部材（２）（９）と水平の部材（３）を設け，垂直の部材（２）から出たケーブル（８）でチューナー（７）と接続する。
（図２）壁（６）とテレビ台（４）で垂直の部材（２）を挟みテレビ画面の背面を壁（６）に着ける。
【作用】
【０００５】（図２）テレビ画面の水平部材（３）をテレビ台（４）の背面上部に載せ、壁（６）とテレビ台（４）で垂直の部材（２）を挟みテレビ画面の背面を壁（６）に着ける。
【実施例】
【０００６】以下、本発明の実施例について説明する。
（図１）テレビ画面（１）の下の部分に垂直の部材（２）（９）と水平の部材（３）を設け垂直の部材（２）から出たケーブル（８）でチューナー（７）と接続する。
（図２）テレビ画面の水平部材（３）をテレビ台（４）の背面上部に載せ、壁（６）とテレビ台（４）で垂直の部材（２）を挟みテレビ画面の背面を壁（６）に着ける。
テレビ台（４）の中にチューナー（７）を入れる。
【発明の効果】
【０００７】  本発明は、以上のような構成でこれを利用した壁に着けるテレビは、壁に傷つけないで、簡単に壁に着けられ、薄型である。
【図面の簡単な説明】
【図１】正面斜視図
【図２】部屋に設置した斜視図
【符号の説明】（１）テレビ画面
（２）垂直の部材
（３）水平の部材
（４）テレビ台
（５）部屋の床
（６）部屋の壁
（７）テレビのチューナー
（８）ケーブル
（９）垂直の部材
【図１】
2020092396.tif 000003
【図２】
2020092396.tif 000004